(57)【要約】【解決手段】  ショーツ１の後身側にベルト通し３を形成する。そして、このベルト通し３の左右開口部のいずれか一方から所定幅のベルト２を差し込んで他方の開口部から露出させる。このベルト２のうち少なくとも前記ベルト通し３から露出している部分の外面全体を面ファスナーの雌部材４とする。一方、この雌部材４と対面するベルト２の内面のうちその一部を、面ファスナーの雄部材５とする。【効果】  ショーツ１の後身側においてショーツ１とベルト２とが一体になっているので、着用者の体型にフィットする。背中側の腰骨を所定幅のベルト２で締め付けることができ、少なくとも腰痛の防止、骨盤の矯正に役立つ。着脱が簡単であるのみならず、着用者の体に合わせて締め付け強度を自由に調整できる。【選択図】  図３
0003106255.tif 000002
【実用新案登録請求の範囲】
【請求項１】
下衣の後身側に所定長さのベルト通しを形成し、このベルト通しに所定幅のベルトを挿通するとともに、このベルトのうち少なくとも前記ベルト通しから露出している部分の外面全体を面ファスナーの雌部材とし、この雌部材と対面するベルトの内面の少なくとも一部を、前記雌部材と全ての位置で係合させ得る面ファスナーの雄部材としたことを特徴とする健康用下衣。
【請求項２】
ベルト通しの長さ方向における中央線上の少なくとも一箇所において、下衣の後身側の生地とベルト通しとベルトとが縫い付けられていることを特徴とする請求項１記載の健康用下衣。
【請求項３】
ベルト通しの長さ方向における中央線上において、下衣の後身側の生地とベルト通しに挿通されているベルトとの間にクッション材が介装されていることを特徴とする請求項１又は２記載の健康用下衣。
【考案の詳細な説明】
【技術分野】
【０００１】
本考案は、例えば、パンツ、ショーツ、ブリーフ、タイツ、ズボン、スラックスなど、いわゆる下半身用の衣類において、所定幅のベルトを備えたものであって、腰痛防止、骨盤の矯正などに効果のある健康用下衣に関する。
【背景技術】
【０００２】
伸縮ゴム部分に面ファスナーを設け、腹回りの長さを調整し得るようにした下穿が提案されている（例えば、特許文献１参照）。
【特許文献１】実用新案登録第３０４２９３５号公報
【０００３】
また、パンツの上部に面ファスナーと切れ目を設け、特許文献１の場合と同じようにウエストサイズを調整し得るようにすることにより、パンツのゴムがウエストを締め付けて腹部の血行が悪くなるのを、また、腰痛になるのを防止し得るよう、健康面を考慮したパンツも提案されている（例えば、特許文献２参照）。
【特許文献２】特開平８−３２５８０４号公報
【考案の開示】
【考案が解決しようとする課題】
【０００４】
しかしながら、これらの場合には単にウエストサイズを最適な大きさに調整できるようにしたに過ぎず、腰痛の防止、骨盤の矯正のために、ウエストを強固に締め付けることができるように工夫されたものではない。
【０００５】
本考案は、単にウエストサイズを最適な大きさに調整できるようにしたというよりも、正しく、腰痛の防止、骨盤の矯正に役立つように、下衣とベルトのそれぞれに工夫を凝らしたものである。
【課題を解決するための手段】
【０００６】
上記目的を達成するために、本考案では、下衣の後身側に所定長さのベルト通しを形成し、このベルト通しに所定幅のベルトを挿通するとともに、このベルトのうち少なくとも前記ベルト通しから露出している部分の外面全体を面ファスナーの雌部材とし、この雌部材と対面するベルトの内面の少なくとも一部を、前記雌部材と全ての位置で係合させ得る面ファスナーの雄部材としてある。
【０００７】
この場合には、下衣の後身側において下衣とベルトとが一体になっているので、着用者の体型にフィットするのみならず、背中側の腰骨をベルトで締め付けることができ、少なくとも腰痛の防止、骨盤の矯正に役立つ。また、ベルトのうち少なくともベルト通しから露出している部分の外面全体が面ファスナーの雌部材となっているので、着脱が簡単であるのみならず、着用者の体に合わせて締め付け強度を自由に調整できる。
【０００８】
本考案において、最も顕著な効果は正しく腰痛の防止、骨盤の矯正に役立つということであるが、着用した場合の付加的な効果としては、運転時の姿勢が良くなるのみならず、歩行時、階段の昇り降りの際も楽になることである。
【０００９】
ベルト通しの長さ方向における中央線上の少なくとも一箇所において、下衣の後身側の生地とベルト通しとベルトとが縫い付けられていることが望ましい。この場合には、下衣の後身側において下衣とベルト通しとベルトとが一体になっているので、それだけ下衣がずれないのみならず、着用者の体型によりフィットする。
【００１０】
ベルト通しの長さ方向における中央線上において、下衣の後身側の生地とベルト通しに挿通されているベルトとの間にクッション材が介装されていることが望ましい。この場合には、クッション材が着用時において着用者の背中側における腰骨の窪んでいる部分に当り、着用者の体型によりフィットするのみならず、体にも良いし、下衣がさらにずれにくい。
【考案の効果】
【００１１】
請求項１記載の考案によれば、下衣の後身側において下衣とベルトとが一体になっているので、着用者の体型にフィットするのみならず、背中側の腰骨をベルトで締め付けることができ、少なくとも腰痛の防止、骨盤の矯正に役立つという効果がある。また、着脱が簡単であるのみならず、着用者の体に合わせて締め付け強度を自由に調整できるという効果がある。さらに、着用した場合の付加的な効果としては、運転時の姿勢が良くなるのみならず、歩行時、階段の昇り降りの際も楽になることである。
【００１２】
請求項２記載の考案によれば、下衣の後身側において下衣とベルト通しとベルトとが一体になっているので、それだけ下衣がずれないのみならず、着用者の体型によりフィットするという効果がある。
【００１３】
請求項３記載の考案によれば、下衣の後身側の生地とベルト通しに挿通されているベルトとの間に位置するクッション材が、着用時において着用者の背中側における腰骨の窪んでいる部分に当り、着用者の体型によりフィットするのみならず、体にも良いし、下衣がさらにずれにくいという効果がある。
【考案を実施するための最良の形態】
【００１４】
本考案による健康用下衣について、図面を参照しながら詳細に説明する。図１(a)は、本考案による健康用下衣をショーツに適用した場合の一例を示す正面図で、ショーツ１の前身側の生地1aの一部と後身側の生地1bの一部を切り欠いてある。また、図１(b)は、図１(a)の背面図で、いずれもベルト２を広げた状態で示す。
【００１５】
図２に示すように、ショーツ１の後身側の生地1bに所定長さのベルト通し用の生地1cを重ね合わせ、その上縁部と下縁部とを前記生地1bに縫着してベルト通し３を形成する。そして、このベルト通し３の左右開口部のいずれか一方から所定幅のベルト２を差し込んで他方の開口部から露出させる。なお、左右両側の開口部からのベルト２の突出量を均等ならしめておくことが望ましい。
【００１６】
このベルト２のうち少なくとも前記ベルト通し３から露出している部分の外面（図１(b)に現れる面）全体を面ファスナーの雌部材４とする。一方、この雌部材４と対面するベルト２の内面（図１(a)に現れる面）のうち図１(a)の左側に現れる部分の一部を、面ファスナーの雄部材５とする。この雄部材５は前記雌部材４と全ての位置で係合させることができる。なお、ベルトの内面のうち図１(a)の右側に現れる部分の一部を、雄部材５としてもよい。また、雌部材４と対面するベルト２の内面全体を、面ファスナーの雄部材５としてもよい。
【００１７】
このようになっていると、ショーツ１の後身側においてショーツ１とベルト２とが一体になっているので、着用者の体型にフィットするのみならず、背中側の腰骨を所定幅のベルト２で締め付けることができ、少なくとも腰痛の防止、骨盤の矯正に役立つ。また、着脱が簡単であるのみならず、着用者の体に合わせて締め付け強度を自由に調整できる。さらに、着用した場合の付加的な効果としては、運転時の姿勢が良くなるのみならず、歩行時、階段の昇り降りの際も楽になる場合を挙げることができる。
【００１８】
そして、ここでは、ベルト通し３の長さ方向における中央線上の少なくとも一箇所において、図１(b)、図２及び図３(b)において図面符号６で示すように、このショーツ１の後身側における生地1bとベルト通し３（より正確には、ベルト通し用の生地1c）とベルト２とが縫い付けられて一体としてある。このようになっていると、それだけショーツ１がずれないのみならず、着用者の体型によりフィットすることになる。なお、ベルト通し３の長さ方向における中央線上の二箇所以上を縫い付けてもよい。
【００１９】
また、ここでは、ベルト通し３の長さ方向における中央線上において、ショーツ１の後身側の生地1bとベルト通し３に挿通されているベルト２との間にクッション材７が介装され、このクッション材７は図１(a)において図面符号7aで示すように、ベルト２に縫い付けられている。この場合には、図３(b)に示すように、クッション材７が着用時において着用者の背中側における腰骨の窪んでいる部分に当り、着用者の体型によりフィットするのみならず、体にも良いし、ショーツ１がさらにずれにくい。
【００２０】
なお、ここに示すショーツ１の履き口８及び左右の脚履き口９にはいずれも縁飾り１０が縫い付けられており、ファッション性にも優れたものとなるようにしてある。
【産業上の利用可能性】
【００２１】
ここでは、本考案による健康用下衣をショーツに適用した場合を例に挙げて詳細に説明したが、本考案は、このショーツ以外に、パンツ、ブリーフ、タイツ、ズボン、スラックスなど、いわゆる下半身用の衣類全般に適用することができる。また、失禁用のパンツなど介護用の下半身用衣類にも適用することができる。
【００２２】
そして、本考案をこれらの下半身用の衣類に適用することにより、着用者の体型にフィットさせることができるのみならず、背中側の腰骨をベルトで締め付けることができるので、少なくとも腰痛の防止、骨盤の矯正に役立つ。また、着脱が簡単であるのみならず、着用者の体に合わせて締め付け強度を自由に調整できる。さらに、着用した場合の付加的な効果としては、運転時の姿勢が良くなるのみならず、歩行時、階段の昇り降りの際も楽になる場合を挙げることができる。
【図面の簡単な説明】
【００２３】
【図１】本考案による健康用下衣をショーツに適用した場合の一例を示す概略図で、(a)はショーツの前身側の生地の一部と後身側の生地の一部を切り欠いた正面図、(b)はその背面図で、いずれもベルトを広げた状態で示す。
【図２】図１(a)の中央部分の拡大縦断面図である。
【図３】図１に示すショーツの使用状態を示す概略図で、(a)は正面側から見た場合を、(b)は斜め後側から見た場合を示す。
【符号の説明】
【００２４】
１…ショーツ、1a…前身側の生地、1b…後身側の生地、1c…ベルト通し用の生地、２…ベルト、３…ベルト通し、４…雌部材、５…雄部材、７…クッション材。
【図１】
0003106255.tif 000003
【図２】
0003106255.tif 000004
【図３】
0003106255.tif 000005